【手続補正書】
【提出日】平成17年8月23日(2005.8.23)
【手続補正１】
【補正対象書類名】明細書
【補正対象項目名】特許請求の範囲
【補正方法】変更
【補正の内容】
【特許請求の範囲】
【請求項１】下記の式で表される化合物、またはその薬学的に受容可能な塩。
【化１】
2001514181.tif 000001
（式中、
Ｘは、水素、ハロゲン、−ＯＲ１、ハロゲンおよびヒドロキシから独立して選択される３つまでの基によって任意に置換されるＣ１〜Ｃ６アルキル、または−ＮＲ２Ｒ３であり；
Ｘは、フェニル、ナフチル、１−（５，６，７，８−テトラヒドロ）ナフチルまたは４−（１，２−ジヒドロ）インデニル、ピリジニル、ピリミジル、イソキノリニル、１，２，３，４−テトラヒドロイソキノリニル、ベンゾフラニル、ベンゾチエニルであって、そのそれぞれは、ハロゲン、Ｃ１〜Ｃ６アルキル、Ｃ１〜Ｃ４アルコキシ、Ｃ１〜Ｃ６アルキルチオ、ヒドロキシ、アミノ、モノまたはジ−Ｃ１〜Ｃ６アルキルアミノ、シアノ、ニトロ、トリフルオロメチル、またはトリフルオロメトキシから選択される３つまでの基によって任意に置換されており；
Ｘは、３〜７員の炭素環基であって、該炭素環員のうち２つまでが、任意に酸素および窒素から選択されるヘテロ原子であり、前記Ｘ炭素環基は、ハロゲン、Ｃ１〜Ｃ６アルコキシ、モノまたはジ（Ｃ１〜Ｃ６）アルキルアミノ、スルホンアミド、アザ（Ｃ３〜Ｃ７）シクロアルキル、Ｃ３〜Ｃ７シクロアルキルチオ、Ｃ１〜Ｃ６アルキルチオ、フェニルチオまたはヘテロ環基から選択される１つまたはそれ以上の基によって任意に置換されており；
Ｙは、ハロゲン、Ｃ３〜Ｃ７アルキル、Ｃ１〜Ｃ６アルコキシ、モノまたはジアルキルアミノ、スルホンアミド、アザ（Ｃ３〜Ｃ７）シクロアルキル、Ｃ３〜Ｃ７シクロアルキルチオ、Ｃ１〜Ｃ６アルキルチオ、フェニルチオ、ヘテロ環基、−ＯＲ４、−ＮＲ５Ｒ６、ＳＲ７、またはアリールから任意に選択される２つまでの基によって任意に置換される、１〜８個の炭素原子を有する低級アルキルであり；
Ｙは、３〜７員の炭素環基であって、該炭素環員のうち３つまでが、任意に酸素および窒素から選択されるヘテロ原子であり、前記Ｙ炭素環基のどの環員も、ハロゲン、−ＯＲ４、−ＮＲ５Ｒ６、ＳＲ７、アリール、またはヘテロ環基によって任意に置換されており；
Ｒ１は、１〜６個の炭素原子を有する低級アルキル、または３〜７個の炭素原子を有するシクロアルキルであり、各アルキルは、−ＯＲ４または−ＮＲ５Ｒ６によって任意に置換されていてもよく；
Ｒ２およびＲ３は、同一または異なり、以下のものを表し、
水素または低級アルキルであって、該低級アルキルは、アルコキシ、アリール、ハロゲン、あるいはモノまたはジ低級アルキルによって任意にモノまたはジ置換され；
アリールまたはアリール（Ｃ１〜Ｃ６）アルキルであって、各アリールは、ハロゲン、ヒドロキシ、Ｃ１〜Ｃ６アルキル、Ｃ１〜Ｃ６アルコキシ、あるいは、モノまたはジ（Ｃ１〜Ｃ６）アルキルアミノから選択される３つまでの基によって任意に置換され；
３〜７個の炭素原子を有するシクロアルキルであって、該シクロアルキルは、ハロゲン、アルコキシ、あるいは、モノまたはジ低級アルキルによって任意にモノまたはジ置換されており；あるいは
−ＳＯ２Ｒ８；
Ｒ４は、Ｒ１について定義した通りであり、
Ｒ５およびＲ６は、それぞれＲ２およびＲ３と同じ定義を有し、
Ｒ７は、水素、１〜６個の炭素原子を有する低級アルキル、または３〜７個の炭素原子を有するシクロアルキルであり、及び
Ｒ８は、１〜６個の炭素原子を有する低級アルキル、３〜７個の炭素原子を有するシクロアルキルでまたは任意に置換されたフェニルである。）
【請求項２】下記の式で表される化合物、またはその薬学的に受容可能な塩。
【化２】
2001514181.tif 000002
（式中、
Ｘは、
（ｉ）水素、ハロゲン、モノまたはジアルキルアミノ、アルコキシ、
（ｉｉ）下記の式で表される基
【化３】
2001514181.tif 000003
［式中、
Ｇは、１〜６個の炭素原子を有する低級アルキレンまたは下記の式で表される環状基であり、
【化４】
2001514181.tif 000004
（式中、ｎは０，１または２、ｍは１〜５の整数、但しｎ＋ｍは１以上５以下である。）
Ｒ１は、水素、低級アルキルまたは（Ｃ３〜Ｃ７）シクロアルキルであり、該アルキルまたはシクロアルキルは、ハロゲン、低級アルコキシ、あるいは、モノまたはジ（Ｃ１〜Ｃ６）アルキルアミノによって任意に置換されている。］
（ｉｉｉ）下記の式で表される基
【化５】
2001514181.tif 000005
［式中、
Ｇは、（ｉｉ）についての上で定義した通りであり、
Ｒ２およびＲ３は、独立して、水素、１〜６個の炭素原子を有する低級アルキル、３〜７個の炭素原子を有するシクロアルキル、−ＳＯ２Ｒ８（式中、Ｒ８は（Ｃ１〜Ｃ６）アルキル、（Ｃ３〜Ｃ７）シクロアルキル、または任意に置換されたフェニル）、あるいは、
Ｒ２およびＲ３は、該Ｒ２およびＲ３の結合する窒素原子と協同して、イミダゾール、ピロリジニル、モルホリニル、ピペラジニル及びピペリジニルから選択されるヘテロ環部分を構成する。］
（ｉｖ）下記の式で表される基
【化６】
2001514181.tif 000006
［式中、
Ｒ２は、（ｉｉｉ）について上で定義した通りであり、
Ｒ４は、水素、１〜６個の炭素原子を有するの低級アルキル、または３〜７個の炭素原子を有するシクロアルキルであって、１つまたはそれ以上の（Ｃ１〜Ｃ６）アルコキシ、あるいは、モノまたはジ（Ｃ１〜Ｃ６）アルキルアミノ基によって任意に置換されていてもよく、
Ｇは、（ｉｉ）について上で定義した通りである。］
（ｖ）下記の式で表される基
【化７】
2001514181.tif 000007
［式中、
Ｒ２およびＧは、それぞれ（ｉｖ）および（ｉｉ）について上で定義した通りであり、
Ｒ５およびＲ６は、独立して、水素、１〜６個の炭素原子を有する低級アルキル、３〜７個の炭素原子を有するシクロアルキル、−ＳＯ２Ｒ８（式中、Ｒ８は（Ｃ１〜Ｃ６）アルキル、（Ｃ３〜Ｃ７）シクロアルキル、または任意に置換されたフェニル）、あるいは、
Ｒ５およびＲ６は、該Ｒ５およびＲ６の結合する窒素原子と協同して、ヘテロ環部分を構成する。］
（ｖｉ）下記の式で表される基
【化８】
2001514181.tif 000008
［式中、Ｇは（ｉｉ）について上で定義した通りである。］
（ｖｉｉ）下記の式で表される基
【化９】
2001514181.tif 000009
［式中、各Ｇは（ｉｉ）について上で定義した通りである。］
Ｙは、
（ｖｉｉｉ）１〜８個の炭素原子を有する低級アルキル、または３〜７個の炭素原子を有するシクロアルキルであって、いずれも、１つまたはそれ以上のハロゲン、（Ｃ１〜Ｃ６）アルコキシ、それぞれのアルコキシが（Ｃ１〜Ｃ６）アルコキシであるようなアルコキシアルコキシ、（Ｃ１〜Ｃ６）アルキルチオ、（Ｃ３〜Ｃ７）シクロアルキルチオ、アリール、ヘテロアリール、あるいは、モノまたはジ−Ｃ１〜Ｃ６アルキルアミノ基によって任意に置換されていてもよく、
（ｉｘ）下記の式で表される基
【化１０】
2001514181.tif 000010
［式中、
Ｋは、（Ｃ１〜Ｃ６）アルキル若しくはアルキレンで任意に置換されていてもよい１〜６個の炭素原子を有する低級アルキレン、または下記の式で表される環状基によって任意に置換されており、
【化１１】
2001514181.tif 000011
（式中、Ｋ'は独立して、水素または（Ｃ１〜Ｃ６）アルキル若しくはアルキレンを表し、ｎは０，１または２、ｍは１〜５の整数、但し、ｎ＋ｍは１以上５以下である。）
Ｒ９は、水素、低級アルキル、または（Ｃ３〜Ｃ７）シクロアルキルであって、アルキル又はシクロアルキルは、ハロゲン、低級アルコキシ、あるいはモノまたはジ−Ｃ１〜Ｃ６アルキルアミノによって任意に置換されている。］
（ｘ）下記の式で表される基
【化１２】
2001514181.tif 000012
［式中、Ｋは、（ｉｘ）について上で定義した通りである。］
（ｘｉ）下記の式で表される基
【化１３】
2001514181.tif 000013
［式中、
Ｋは、（ｉｘ）について上で定義した通りであり、
Ｒ１３は、水素、１〜６個の炭素原子を有する低級アルキル、または３〜７個の炭素原子を有するシクロアルキルであって、該アルキルまたはシクロアルキル基は、１つまたはそれ以上の（Ｃ１〜Ｃ６）アルコキシ、あるいは、モノまたはジ（Ｃ１〜Ｃ６）アルキルアミノ基によって任意に置換されている。］
（ｘｉｉ）下記の式で表される基
【化１４】
2001514181.tif 000014
［式中、
Ｋは、（ｉｘ）について上に定義した通りであり、
Ｒ７は、ハロゲン、１〜６個の炭素原子を有する低級アルキル、または３〜７個の炭素原子を有するシクロアルキルである。］
（ｘｉｉｉ）下記の式で表される基
【化１５】
2001514181.tif 000015
［式中、
Ｋは、（ｉｘ）について上に定義した通りであり、
Ｒ１４はおよびＲ１５は、独立して、水素、１〜６個の炭素原子を有する低級アルキル、３〜７個の炭素原子を有するシクロアルキル、−ＳＯ２Ｒ８（式中、Ｒ８は上で定義した通りであり、あるいは、
Ｒ１４およびＲ１５は、該Ｒ５およびＲ６の結合する窒素原子と協同して、ヘテロ環部分を構成する。］
（ｘｉｖ）下記の式で表される基
【化１６】
2001514181.tif 000016
［式中、ＫおよびＲ１５は、それぞれ（ｉｘ）および（ｘｉｉ）において上で定義した通りである。］
（ｘｖ）下記の式で表される基
【化１７】
2001514181.tif 000017
［式中、
Ｋは、（ｉｘ）について上で定義した通りであり、
Ｒ１０およびＲ１０'は、同一または異なり、水素、ハロゲン、ヒドロキシ、１〜６個の炭素原子を有する低級アルコキシ、または３〜７個の炭素原子を有するシクロアルコキシから選択され、
Ｒ１１、Ｒ１１'およびＲ１２は、同一または異なり、水素、ハロゲン、ヒドロキシ、ＯＲ４、−ＣＲ７（Ｒ９）ＮＲ５Ｒ６、−ＣＲ７（Ｒ１６）ＯＲ４から選択されるか、あるいは、
Ｒ１１およびＲ１２は、それらの結合する原子とともに、（ヘテロ）サイクリック環を形成し、及び
Ｒ１６は、水素、１〜６個の炭素原子を有する低級アルキル、または３〜７個の炭素原子を有するシクロアルキルである。］
（ｘｖｉ）下記の式で表される基
【化１８】
2001514181.tif 000018
［式中、Ｋは（ｉｘ）について上で定義した通りであり、Ｗはヘテロアリールである。］
（ｘｖｉｉ）下記の式で表される基
【化１９】
2001514181.tif 000019
［式中、
Ｋは、（ｉｘ）について上で定義した通りであり、Ｒ１０およびＲ１１は、（ｘｖ）について上で定義した通りであり、
Ｒ１７は、水素、低級アルキル、または（Ｃ３〜Ｃ７）シクロアルキルであり、該アルキルまたはシクロアルキルは、ハロゲン、低級アルコキシ、あるいは、モノまたはジ（Ｃ１〜Ｃ６）アルキルアミノによって任意に置換されている。］
（ｘｖｉｉｉ）下記の式で表される基
【化２０】
2001514181.tif 000020
［式中、Ｋ、Ｒ１０、Ｒ１２およびＲ１７は、上で定義した通りである。］
（ｘｉｘ）下記の式で表される基
【化２１】
2001514181.tif 000021
［式中、各Ｋは独立して、（ｉｘ）について上で定義した通りであり、Ｒ１０は上で定義した通りである。］
（ｘｘ）下記の式で表される基
【化２２】
2001514181.tif 000022
［式中Ｋ、Ｒ１０、Ｒ１１、Ｒ１４およびＲ１５は、上で定義した通りである。］
（ｘｘｉ）下記の式で表される基
【化２３】
2001514181.tif 000023
［式中、Ｋ、Ｒ１０、Ｒ１２、Ｒ１４およびＲ１５は、上で定義した通りである。］
【請求項３】下記の式で表される、請求項１に記載の化合物。
【化２４】
2001514181.tif 000024
（式中、
Ａは、Ｃ１〜Ｃ６アルキレンであり、
Ｒａは、ハロゲン、低級アルキル、低級アルコキシによって任意にモノ、ジ、またはトリ置換されたフェニル、あるいは、モノまたはジ−Ｃ１〜Ｃ６アルキルアミノ、あるいは、ジ−Ｃ１〜Ｃ６アルキルアミノ低級アルキルであり、
Ｒｂは、低級アルキルまたは低級シクロアルキルである。）
【請求項４】下記の式で表される、請求項１に記載の化合物。
【化２５】
2001514181.tif 000025
（式中、
Ａは、Ｃ１〜Ｃ６アルキレンであり、
ＲａおよびＲａ'は独立して、ハロゲン、低級アルキル、低級アルコキシ又はモノまたはジ−Ｃ１〜Ｃ６アルキルアミノによって任意にモノ、ジまたはトリ置換されたフェニル、又はモノあるいはジ−Ｃ１〜Ｃ６アルキルアミノ低級アルキルであり、及び
Ｒｃは、ハロゲンまたは低級アルキルである。）
【請求項５】下記の式で表される、請求項１に記載の化合物。
【化２６】
2001514181.tif 000026
（式中、
Ａは、Ｃ１〜Ｃ６アルキレンであり、
ＲｄおよびＲｅは、独立して低級アルキル基である。）
【請求項６】下記の式で表される、請求項１に記載の化合物。
【化２７】
2001514181.tif 000027
［式中、
Ａは、Ｃ１〜Ｃ６アルキレンであり、
Ｒｄは、低級アルキルであり、
Ｒｆは、下記の式で表される基である。
【化２８】
2001514181.tif 000028
（式中、Ｅは酸素または窒素であり、ＭはＣ１〜Ｃ３アルキレンまたは窒素である。）］
【請求項７】下記の式で表される、請求項１に記載の化合物。
【化２９】
2001514181.tif 000029
（式中、
Ａは、Ｃ１〜Ｃ６アルキレン、
Ｒｄは、低級アルキルであり、
Ｒａ'は、ハロゲン、低級アルキル、低級アルコキシ、あるいはモノまたはジ−Ｃ１〜Ｃ６アルキルアミノによって任意に、モノ、ジまたはトリ置換されたフェニル、あるいは、モノまたはジ−Ｃ１〜Ｃ６アルキルアミノ低級アルキルである。）
【請求項８】下記の式で表される、請求項１に記載の化合物。
【化３０】
2001514181.tif 000030
（式中、
Ａは、Ｃ１〜Ｃ６アルキレンであり、
ＲｄおよびＲｅは、独立して低級アルキルである。）
【請求項９】下記の式で表される、請求項１に記載の化合物。
【化３１】
2001514181.tif 000031
（式中、
Ｄは、窒素またはＣＨであり、
Ｄ'は、窒素または酸素であり、
Ａは、Ｃ１〜Ｃ６アルキレンであり、
Ｒａ'は、ハロゲン、低級アルキル、低級アルコキシ、あるいは、モノまたはジ−Ｃ１〜Ｃ６アルキルアミノ、あるいは、モノまたはジ−Ｃ１〜Ｃ６アルキルアミノ低級アルキルによって、任意にモノ、ジ、またはトリ置換されたフェニルである。）
【請求項１０】下記の式で表される、請求項１に記載の化合物。
【化３２】
2001514181.tif 000032
（式中、
Ａは、Ｃ１〜Ｃ６アルキレンであり、
Ｒａ'は、ハロゲン、低級アルキル、低級アルコキシ、あるいは、モノまたはジ−Ｃ１〜Ｃ６アルキルアミノによって、任意にモノ、ジ、またはトリ置換されたフェニル、またはモノまたはジ−Ｃ１〜Ｃ６アルキルアミノ低級アルキルである。）
【請求項１１】下記の式で表される、請求項１に記載の化合物。
【化３３】
2001514181.tif 000033
（式中、
Ａは、Ｃ１〜Ｃ６アルキレンであり、
Ｒｄは、低級アルキルであり、
Ａ'は、酸素またはメチレンを表し、
ｒは、１〜３の整数である。）
【請求項１２】下記の式で表される、請求項１に記載の化合物。
【化３４】
2001514181.tif 000034
（式中、
Ａは、Ｃ１〜Ｃ６アルキレンであり、
Ｒｇは、低級アルキルオキシ低級アルキルであり、
Ｒａ'は、ハロゲン、低級アルキル、低級アルコキシ、あるいはモノまたはジ−Ｃ１〜Ｃ６アルキルアミノによって、任意にモノ、ジまたはトリ置換されているフェニル、又はモノまたはジ−Ｃ１〜Ｃ６アルキルアミノ低級アルキルである。）
【請求項１３】Ｎ−ｎ−ブチル ６−ベンジルアミノ−４−オキソ−１，４−ジヒドロ−１，５−ナフチリジン−３−カルボキサミド；
Ｎ−［２−（エチルチオ）エチル］６−メトキシ−４−オキソ−１，４−ジヒドロ−１，５−ナフチリジン−３−カルボキサミド；
Ｎ−［４−（メチルアミノメチル）ベンジル］６−（２−メトキシエトキシ）−４−オキソ−１，４−ジヒドロ−１，５−ナフチリジン−３−カルボキサミド；
Ｎ−（４−メトキシベンジル）６−ピロリジノ−４−オキソ−１，４−ジヒドロ−１，５−ナフチリジン−３−カルボキサミド；
Ｎ−ｎ−ブチル６−クロロ−４−オキソ−１，４−テトラヒドロ−１，５−ナフチリジン−３−カルボキサミド；
Ｎ−プロパン−３−オール６−メトキシ−４−オキソ−１，４−テトラヒドロ−１，５−ナフチリジン−３−カルボキサミド；
Ｎ−ｎ−ブチル６−エトキシ−４−オキソ−１，４−テトラヒドロ−１，５−ナフチリジン−３−カルボキサミド；
Ｎ−（２−エチルチオ）エチル６−メトキシ−４−オキソ−１，４−テトラヒドロ−１，５−ナフチリジン−３−カルボキサミド；
Ｎ−ｎ−ブチル６−（Ｎ−ベンジルアミノ）−４−オキソ−１，４−テトラヒドロ−１，５−ナフチリジン−３−カルボキサミド；
Ｎ−ｎ−ペンチル６−エトキシ−４−オキソ−１，４−テトラヒドロ−１，５−ナフチリジン−３−カルボキサミド；
Ｎ−（３−イソプロポキシ）プロピル６−エトキシ−４−オキソ−１，４−テトラヒドロ−１，５−ナフチリジン−３−カルボキサミド；
Ｎ−ベンジル６−エトキシ−４−オキソ−１，４−テトラヒドロ−１，５−ナフチリジン−３−カルボキサミド；
Ｎ−２−ペンチル６−エトキシ−４−オキソ−１，４−テトラヒドロ−１，５−ナフチリジン−３−カルボキサミド；
Ｎ−（２−テトラヒドロフラニル）メチル６−エトキシ−４−オキソ−１，４−テトラヒドロ−１，５−ナフチリジン−３−カルボキサミド；
Ｎ−（３−メトキシ）プロパン−２−オール６−エトキシ−４−オキソ−１，４−テトラヒドロ−１，５−ナフチリジン−３−カルボキサミド；
Ｎ−（３−メトキシ）プロピル６−エトキシ−４−オキソ−１，４−テトラヒドロ−１，５−ナフチリジン−３−カルボキサミド；
Ｎ−（２−メトキシ）エチル６−エトキシ−４−オキソ−１，４−テトラヒドロ−１，５−ナフチリジン−３−カルボキサミド；
Ｎ−イソアミル６−エトキシ−４−オキソ−１，４−テトラヒドロ−１，５−ナフチリジン−３−カルボキサミド；
Ｎ−（２−フラニル）メチル６−エトキシ−４−オキソ−１，４−テトラヒドロ−１，５−ナフチリジン−３−カルボキサミド；
Ｎ−（３−メトキシベンジル）６−エトキシ−４−オキソ−１，４−テトラヒドロ−１，５−ナフチリジン−３−カルボキサミド；
Ｎ−（３−エトキシ）プロピル６−エトキシ−４−オキソ−１，４−テトラヒドロ−１，５−ナフチリジン−３−カルボキサミド；
Ｎ−２−（２−メチル）ブチル６−エトキシ−４−オキソ−１，４−テトラヒドロ−ｌ，５−ナフチリジン−３−カルボキサミド；
Ｎ−２−ペンタン−１−オール６−エトキシ−４−オキソ−１，４−テトラヒドロ−１，５−ナフチリジン−３−カルボキサミド；
Ｎ−５−ペンタノール６−エトキシ−４−オキソ−１，４−テトラヒドロ−１，５−ナフチリジン−３−カルボキサミド；
Ｎ−１−シクロヘキサン−２−オール６−エトキシ−４−オキソ−１，４−テトラヒドロ−１，５−ナフチリジン−３−カルボキサミド；
Ｎ−ベンジル６−メトキシ−４−オキソ−１，４−テトラヒドロ−１，５−ナフチリジン−３−カルボキサミド；
Ｎ−（２−フルオロベンジル）６−メトキシ−４−オキソ−１，４−テトラヒドロ−１，５−ナフチリジン−３カルボキサミド；
Ｎ−（３−フルオロベンジル）６−メトキシ−４−オキソ−１，４−テトラヒドロ−１，５−ナフチリジン−３−カルボキサミド；
Ｎ−（４−フルオロベンジル）６−メトキシ−４−オキソ−１，４−テトラヒドロ−１，５−ナフチリジン−３−カルボキサミド；
Ｎ−（４／５−イミダゾーリル）メチル６−エトキシ−４−オキソ−１，４−テトラヒドロ−１，５−ナフチリジン−３−カルボキサミド；
Ｎ−４−テトラヒドロピラニル６−エトキシ−４−オキソ−１，４−テトラヒドロ−１，５−ナフチリジン−３−カルボキサミド；
Ｎ−（３−チエニル）メチル６−エトキシ−４−オキソ−１，４−テトラヒドロ−１，５−ナフチリジン−３−カルボキサミド；
Ｎ−２−（６−メチル）ヘプタン−６−オール６−エトキシ−４−オキソ−１，４−テトラヒドロ−１，５−ナフチリジン−３−カルボキサミド；
Ｎ−（２−テトラヒドロピラニル）メチル６−エトキシ−４−オキソ−１，４−テトラヒドロ−１，５−ナフチリジン−３−カルボキサミド；
Ｎ−（２−フルオロベンジル）６−エトキシ−４−オキソ−１，４−テトラヒドロ−１，５−ナフチリジン−３−カルボキサミド；
Ｎ−（３−フルオロベンジル）６−エトキシ−４−オキソ−１，４−テトラヒドロ−１，５−ナフチリジン−３−カルボキサミド；
Ｎ−（４−フルオロベンジル）６−エトキシ−４−オキソ−１，４−テトラヒドロ−１，５−ナフチリジン−３−カルボキサミド；
Ｎ−（４−メトキシベンジル）６−エトキシ−４−オキソ−１，４−テトラヒドロ−１，５−ナフチリジン−３−カルボキサミド；
Ｎ−（３−フルオロベンジル）６−メトキシ−４−オキソ−１，４−テトラヒドロ−１，５−ナフチリジン−３−カルボキサミド；
Ｎ−ベンジル６−（Ｎ−メチル，Ｎ−トルエンスルホニル−アミノ）−４−オキソ−１，４−テトラヒドロ−１，５−ナフチリジン−３−カルボキサミド；
Ｎ−ベンジル６−（メチルアミノ）−４−オキソ−１，４−テトラヒドロ−１，５−ナフチリジン−３−カルボキサミド；
Ｎ−ピペロニル６−エトキシ−４−オキソ−１，４−テトラヒドロ−１，５−ナフチリジン−３−カルボキサミド；又は
Ｎ−ピペロニル６−メトキシ−４−オキソ−１，４−テトラヒドロ−１，５−ナフチリジン−３−カルボキサミドであることを特徴とする請求項１に記載の化合物。
【請求項１４】Ｎ−２−（４／５−イミダゾリル）エチル６−エトキシ−４−オキソ−１，４−テトラヒドロ−１，５−ナフチリジン−３−カルボキサミド；
Ｎ−（４−メチルベンジル）６−エトキシ−４−オキソ−１，４−テトラヒドロ−１，５−ナフチリジン−３−カルボキサミド；
Ｎ−ベンジル６−（２−メトキシエトキシ）−４−オキソ−１，４−テトラヒドロ−１，５−ナフチリジン−３−カルボキサミド；
Ｎ−ベンジル６−ジメチルアミノ−４−オキソ−１，４−テトラヒドロ−１，５−ナフチリジン−３−カルボキサミド；
Ｎ−イソアミル６−モルホリノ−４−オキソ−１，４−テトラヒドロ−１，５−ナフチリジン−３−カルボキサミド；
Ｎ−ベンジル６−モルホリノ−４−オキソ−１，４−テトラヒドロ−１，５−ナフチリジン−３−カルボキサミド；
Ｎ−（２−フルオロベンジル）６−モルホリノ−４−オキソ−１，４−テトラヒドロ−１，５−ナフチリジン−３−カルボキサミド；
Ｎ−（３−エトキシ）プロピル６−モルホリノ−４−オキソ−１，４−テトラヒドロ−１，５−ナフチリジン−３−カルボキサミド；
Ｎ−ｎ−ブチル６−モルホリノ−４−オキソ−１，４−テトラヒドロ−１，５−ナフチリジン−３−カルボキサミド；
Ｎ−（２−ピリジル）メチル６−モルホリノ−４−オキソ−１，４−テトラヒドロ−１，５−ナフチリジン−３−カルボキサミド；
Ｎ−（２−チエニル）メチル６−（２−メトキシエトキシ）−４−オキソ−１，４−テトラヒドロ−１，５−ナフチリジン−３−カルボキサミド；
Ｎ−イソアミル６−ジメチルアミノ−４−オキソ−１，４−テトラヒドロ−１，５−ナフチリジン−３−カルボキサミド；
Ｎ−（２−チエニル）メチル６−モルホリノ−４−オキソ−１，４−テトラヒドロ−１，５−ナフチリジン−３−カルボキサミド；
Ｎ−（２−チエニル）メチル６−ジメチルアミノ−４−オキソ−１，４−テトラヒドロ−１，５−ナフチリジン−３−カルボキサミド；
Ｎ−（２−チアゾリル）メチル６−モルホリノ−４−オキソ−１，４−テトラヒドロ−１，５−ナフチリジン−３−カルボキサミド；
Ｎ−（４−メチルアミノメチル）ベンジル６−エトキシ−４−オキソ−１，４−テトラヒドロ−１，５−ナフチリジン−３−カルボキサミド；
Ｎ−［４（１−メチルアミノ）エチル］ベンジル６−エトキシ−４−オキソ−１，４−テトラヒドロ−１，５−ナフチリジン−３−カルボキサミド；
Ｎ−（２−テトラヒドロフラニル）メチル６−ジメチルアミノ−４−オキソ−１，４−テトラヒドロ−１，５−ナフチリジン−３−カルボキサミド；
Ｎ−ｎ−ペンチル６−モルホリノ−４−オキソ−１，４−テトラヒドロ−１，５−ナフチリジン−３−カルボキサミド；
Ｎ−（３−メトキシベンジル）６−モルホリノ−４−オキソ−１，４−テトラヒドロ−１，５−ナフチリジン−３−カルボキサミド；
Ｎ−（３−フルオロベンジル）６−モルホリノ−４−オキソ−１，４−テトラヒドロ−１，５−ナフチリジン−３−カルボキサミド；
Ｎ−（４−メチルアミノメチル）ベンジル６−（２−メトキシエトキシ）−４−オキソ−１，４−テトラヒドロ−１，５−ナフチリジン−３−カルボキサミド；
Ｎ−ｎ−ブチル６−ピロリジノ−４−オキソ−１，４−テトラヒドロ−１，５−ナフチリジン−３−カルボキサミド；
Ｎ−（４−メトキシベンジル）６−ピロリジノ−４−オキソ−１，４−テトラヒドロ−１，５−ナフチリジン−３−カルボキサミド；
Ｎ−（２−チエニル）メチル６−ピロリジノ−４−オキソ−１，４−テトラヒドロ−１，５−ナフチリジン−３−カルボキサミド；
Ｎ−［４−（１−メチルアミノ）エチル］ベンジル６−ジメチルアミノ−４−オキソ−１，４−テトラヒドロ−１，５−ナフチリジン−３−カルボキサミ  ド；
Ｎ−（４−メチルアミノ）ベンジル６−ｎ−プロポキシ−４−オキソ−１，４−テトラヒドロ−１，５−ナフチリジン−３−カルボキサミド塩酸塩；
Ｎ−［４−（１−メチルアミノメチル）エチル］ベンジル６−クロロ−４−オキソ−１，４−テトラヒドロ−１，５−ナフチリジン−３−カルボキサミド；
Ｎ−［４−（１−メチルアミノ）エチル］ベンジル６−ピロリジノ−４−オキソ−１，４−テトラヒドロ−１，５−ナフチリジン−３−カルボキサミド塩酸塩；
Ｎ−（４−エトキシベンジル）６−モルホリノ−４−オキソ−１，４−テトラヒドロ−１，５−ナフチリジン−３−カルボキサミド；
Ｎ−（４−エトキシベンジル）６−ピロリジノ−４−オキソ−１，４−テトラヒドロ−１，５−ナフチリジン−３−カルボキサミド；  
Ｎ−（４−クロロベンジル）６−モルホリノ−４−オキソ−１，４−テトラヒドロ−１，５−ナフチリジン−３−カルボキサミド；
Ｎ−（３−クロロベンジル）６−モルホリノ−４−オキソ−１，４−テトラヒドロ−１，５−ナフチリジン−３−カルボキサミド；
Ｎ−ピペロニル６−ジメチルアミノ−４−オキソ−１，４−テトラヒドロ−１，５−ナフチリジン−３−カルボキサミド塩酸塩；
Ｎ−ベンジル６−（２−メチルアミノ）エトキシ−４−オキソ−１，４−テトラヒドロ−１，５−ナフチリジン−３−カルボキサミド；
Ｎ−ベンジル６−（２−ジメチルアミノ）エトキシ−４−オキソ−１，４−テトラヒドロ−１，５−ナフチリジン−３−カルボキサミド；
Ｎ−（４−エチルアミノメチル）ベンジル６−エトキシ−４−オキソ−１，４−テトラヒドロ−１，５−ナフチリジン−３−カルボキサミド；
Ｎ−ベンジル６−（２−メトキシ）エチルアミノ−４−オキソ−１，４−テトラヒドロ−１，５−ナフチリジン−３−カルボキサミド；
Ｎ−（３−メチルアミノメチル）ベンジル６−エトキシ−４−オキソ−１，４−テトラヒドロ−１，５−ナフチリジン−３−カルボキサミド塩酸塩；
Ｎ−（４−ジメチルアミノメチル）ベンジル６−エトキシ−４−オキソ−１，４−テトラヒドロ−１，５−ナフチリジン−３−カルボキサミド塩酸塩；
Ｎ−（３−メチルアミノメチル）ベンジル６−ｎ−プロポキシ−４−オキソ−１，４−テトラヒドロ−１，５−ナフチリジン−３−カルボキサミド塩酸塩；又は
Ｎ−［４−（１−イミダゾリルメチル）］ベンジル６−エトキシ−４−オキソ−１，４−テトラヒドロ−１，５−ナフチリジン−３−カルボキサミドであることを特徴とする請求項１に記載の化合物。
【請求項１５】Ｙが、ピリミジニルメチル、ピリジルメチル、または下記の式で表される基であること特徴とする請求項１に記載の化合物。
【化３５】
2001514181.tif 000035
［式中、
Ｒ１８は、水素、アミノ、モノまたジ−Ｃ１〜Ｃ６アルキルアミノ、あるいは、Ｒ１９によって任意に置換されたＣ１〜Ｃ６アルキルであり、Ｒ１９は下記の式を表し、
【化３６】
2001514181.tif 000036
（式中、ＶおよびＶ'は独立してＣＨまたは窒素であり、Ａ"はＣ１〜Ｃ６アルキレンである。）
Ｒ２０は、フェニル、ピリジル、またはピリミジルであり、各基は独立して、ハロゲン、ヒドロキシ、Ｃ１〜Ｃ６アルコキシ、アミノ、あるいは、モノまたはジ−Ｃ１〜Ｃ６アルキルアミノによって任意にモノ置換、ジ置換、若しくはトリ置換されている。］
【請求項１６】下記の式で表される請求項１に記載の化合物。
【化３７】
2001514181.tif 000037
［式中、
Ａは、Ｃ１〜Ｃ６アルキレンであり、
Ｘは、式Ｉについて上で定義した通りであり、
Ｒ１８は、
（ｉ）アミノ、または、モノまたはジ−Ｃ１〜Ｃ６アルキルアミノ、あるいは、
（ｉｉ）下記の基によって任意に置換される低級アルキル
【化３８】
2001514181.tif 000038
（式中、
ＶおよびＶ'は、独立してＣＨまたは窒素であり、
Ａ''は、Ｃ１〜Ｃ６アルキレンであり、
Ｒ２０は、フェニル、ピリジル、またはピリミジニルであって、そのそれぞれは、ハロゲン、ヒドロキシ、Ｃ１〜Ｃ６アルコキシ、アミノ、あるいはモノまたはジ−Ｃ１〜Ｃ６アルキルアミノによって任意に、モノ、ジ、またはトリ置換されている。）］
【請求項１７】Ｎ−ベンジル６−ベンジルアミノ−４−オキソ−１，４−テトラヒドロ−１，５−ナフチリジン−３−カルボキサミド；
Ｎ−シクロヘキシル６−エトキシ−４−オキソ−１，４−テトラヒドロ−１，５−ナフチリジン−３−カルボキサミド；
Ｎ−シクロヘキシルメチル６−エトキシ−４−オキソ−１，４−テトラヒドロ−１，５−ナフチリジン−３−カルボキサミド；
Ｎ−（４−アミノベンジル）−６−エトキシ−４−オキソ−１，４−テトラヒドロ−１，５−ナフチリジン−３−カルボキサミド；
Ｎ−（４−ピリジルメチル）６−エトキシ−４−オキソ−１，４−テトラヒドロ−１，５−ナフチリジン−３−カルボキサミド；
Ｎ−ベンジル６−テトラヒドロイソキノリニル−４−オキソ−１，４−テトラヒドロ−１，５−ナフチリジン−３−カルボキサミド；又は
Ｎ−｛４−［１−［４−（４−フルオロベンジル）ピペラジニル］メチル］ベンジル｝６−（２，２，２−トリフルオロエチル）−４−オキソ−１，４−テトラヒドロ−１，５−ナフチリジン−３−カルボキサミドであることを特徴とする請求項１に記載の化合物。